(57)【特許請求の範囲】
【請求項１】
加熱、加圧することによりトナーを定着する一対の定着ロールの加熱ロール内部に複数の発熱ランプを配置し、前記加熱ロールの軸方向に所定間隔で配置され且つ前記加熱ロール外周面に対し間隔をなして配置された複数個のサーミスタと、前記加熱ロール外周面の一部に設けられたサーモライトチップとサーモライトチップに対向可能に配置されたセンサヘッドからなる２種類の温度センサとを有し、上記２種類のセンサのどちらか一方のセンサの出力に応じて前記発熱ランプのＯＮ／ＯＦＦ制御を行なう制御手段を備え、且つ前記サーモライトチップが所定の温度に達するまで発熱ランプを一定の割合で点灯させ、前記サーモライトチップ温度検出時のそれぞれのサーミスタ出力値を制御部に基準値として記憶する立ち上げ期間を有する加熱ロール温度制御において、パワーオン時のサーミスタ出力値を検出可能であるとともに、前記サーモライトチップ温度検出時のそれぞれのサーミスタ出力値を前記制御部に基準値として記憶する条件として、パワーオン時のサーミスタ出力値があるスライスレベル以下であり、且つパワーオンからサーモライトチップ温度検出までの期間がある一定時間以上であることを特徴とする電子写真式印刷装置の定着装置。
【請求項２】
基準となるサーミスタ出力値を前記制御部に記憶する度にそのサーミスタ出力値を更新保存する記憶装置を有し、サーミスタ出力値を前記制御部に基準値として記憶する条件外の場合は、前記記憶装置に保存されたサーミスタ出力値を基準値として使用することを特徴とする請求項１記載の電子写真式印刷装置の定着装置。
【請求項３】
前記記憶装置にサーミスタ出力値が保存されていない状態で、且つサーミスタ出力値を前記制御部に基準値として記憶する条件であるスライスレベル以上でパワーオンされた場合は、前記加熱ロール周辺温度が基準値として記憶する条件である温度以下になるまで前記発熱ランプの点灯を開始しないことを特徴とする請求項２記載の電子写真式印刷装置の定着装置。
【発明の詳細な説明】
【０００１】
【発明の属する技術分野】
本発明は、電子写真式印刷装置の定着装置に関するものである。
【０００２】
【従来の技術】
図６、図７、図８は従来の定着装置の一実施例を示す概略図である。図６において、印刷用紙１上のトナー像２は、内部にヒータ３を有する予熱板４より印刷用紙１裏面から熱を受け軟化し始める。軟化したトナー像２は、内部に複数の発熱ランプ５を有する加熱ロール６と、支持体７で保持される加圧ロール８により狭持搬送されることで、印刷用紙１上に定着さる。加熱ロール６と加圧ロール７によって送り出された印刷用紙１は、用紙送りローラ９によって用紙折り畳み部１０へ送り出される。
【０００３】
図７は定着装置の加熱ロール６と発熱ランプ５ａ、５ｂ、５ｃ、５ｄとサーミスタ１１ａ、１１ｂ、１１ｃ、サーモライトチップ１２とセンサヘッド１３の構成を示す説明図である。
【０００４】
図８はパワーオンからサーモライトチップ温度検出までの加熱ロール周辺温度と発熱ランプのＯＮ／ＯＦＦ制御を示す説明図である。加熱ロール５をサーモライトチップ１２が所定の温度に達したことをセンサヘッド１３が検出するまで発熱ランプ５を一定の割合で点灯させる。次に、サーモライトチップ温度検出時における発熱ランプ５ａ，５ｂ，５ｃの発熱領域に対向した位置に設置されたサーミスタ１１ａ、１１ｂ、１１ｃのサーミスタ出力値を基準値として制御部１４が更新記憶し、印刷中は前記基準となるサーミスタ出力値と一致する様に発熱ランプ５を任意時期、任意時間点灯させるように制御部１４にて制御している。
【０００５】
【発明が解決しようとする課題】
従来の定着装置では、パワーオン毎にサーミスタにて発熱ランプをＯＮ／ＯＦＦ制御する基準となるサーミスタ出力値を更新記憶しているが、この制御方法では基準となるサーミスタ出力値がパワーオン時の加熱ロール周辺温度により大きくばらついてしまう。特に印刷停止直後の様な加熱ロール周辺が高温時にパワーオンした場合、室温近傍からパワーオンした場合と比較して加熱ロール周辺温度が高温である為、基準となるサーミスタ出力値が高温となる。この動作を繰り返すと、基準となるサーミスタ出力値が加熱ロール異常高温のエラーを検出するまで上昇し続ける為、制御上、加熱ロール温度に上限が無い状態となっている。
【０００６】
結果として、印刷時の加熱ロール温度が、例えば２２０℃といった高温となり、加熱ロールの損傷及び短寿命、印刷品質不安定といった不具合が発生していた。
【０００７】
本発明の目的はパワーオン毎の加熱ロール表面温度のバラツキを抑制し、印刷時の加熱ロールの表面温度を定着強度が確保でき、加熱ロールを損傷しない温度、例えば１８０℃〜１９０℃とする制御法を提供する事にある。
【０００８】
【課題を解決するための手段】
上記の目的は、加熱、加圧することによりトナーを定着する一対の定着ロールの加熱ロール内部に複数の発熱ランプを配置し、前記加熱ロールの軸方向に所定間隔で配置され且つ前記加熱ロール外周面に対し間隔をなして配置された複数個のサーミスタと、前記加熱ロール外周面の一部に設けられたサーモライトチップとサーモライトチップに対向可能に配置されたセンサヘッドからなる２種類の温度センサとを有し、上記２種類のセンサの出力、またはどちらか一方のセンサの出力に応じて前記発熱ランプのＯＮ／ＯＦＦ制御を行なう制御手段を持ち、且つ前記サーモライトチップが所定の温度に達するまで発熱ランプを一定の割合で点灯させ、前記サーモライトチップ温度検出時のそれぞれのサーミスタ出力値を制御部に基準値として記憶する立ち上げ期間を有する加熱ロール温度制御において、パワーオン時のサーミスタ出力値を検出可能とすることにより達成される。
すなわち、パワーオン時の加熱ロール周辺温度をサーミスタにて検出し、検出された温度が基準となるサーミスタ出力値を記憶する条件となるスライスレベル以下であり、且つパワーオンからサーモライトチップ温度を検出する立上げ期間が一定時間以上の場合のみ、基準となるサーミスタ出力値を制御部にて更新記憶し、更新記憶する度にサーミスタ出力値を記憶装置にて更新保存する。また、パワーオン時の加熱ロール周辺温度がスライスレベル以上であり、且つ立ち上げ期間が一定時間以下の場合は基準となるサーミスタ出力値を更新記憶せずに、記憶装置に保存されたサーミスタ出力値を使用する。記憶装置にサーミスタ出力値が保存されていない状態で、且つパワーオン時の加熱ロール周辺温度がスライスレベル以上である場合は、サーミスタ出力値がスライスレベル以下となるまで発熱ランプの点灯を開始しないことにより解決される。
【０００９】
【発明の実施の形態】
本発明の一実施例を図１、図２、図３、図４、図５を用いて説明する。図１は本発明の定着装置の全体概略構成図である。図２は本発明の定着装置の加熱ロール６と発熱ランプ５ａ、５ｂ、５ｃ、５ｄとサーミスタ１１ａ、１１ｂ、１１ｃ、サーモライトチップ１２とセンサヘッド１３の構成を示す説明図である。図３は基準となるサーミスタ出力値を記憶する場合の立上げ時間と加熱ロール周辺温度の関係を示す説明図である。図４は基準となるサーミスタ出力値を記憶せず、記憶装置に保存されているサーミスタ出力値を使用する場合の立上げ時間と加熱ロール周辺温度の関係を示す説明図である。図５は記憶装置にサーミスタ出力値が保存されていない状態で、且つパワーオン時のサーミスタ検出温度がスライスレベル以上である場合の立上げ時間と加熱ロール周辺温度の関係を示す説明図である。
【００１０】
図１，図２、図３、図４、図５に於いて、図６、図７、図８と同等の部材については同一符号を付しその説明を省略する。図２の１５は記憶装置とする。例えば、基準となるサーミスタ出力値を記憶する条件とするスライスレベルを１００℃、立ち上げ期間を４分とした場合、図３の様にパワーオン時の加熱ロ―ル６周辺温度をサーミスタ１１にて検出し、検出された温度が全て１００℃以下であり、パワーオンからセンサヘッド１３にてサーモライトチップ温度を検出するまでの時間が４分以上の場合のみサーミスタ出力値を制御部１４にて更新記憶する。また、サーミスタ出力値が更新記憶された場合のみ、そのサーミスタ出力値を記憶装置１５にて更新保存する。
【００１１】
図４の様に、パワーオン時の加熱ロ―ル６周辺温度をサーミスタ１１にて検出し、検出された温度の何れかが１００℃以上である場合はサーミスタ出力値を更新記憶せずに、記憶装置１５に保存されているサーミスタ出力値を使用する。
【００１２】
図５の様に、記憶装置１５にサーミスタ出力値が記憶されていない状態で且つパワーオン時のサーミスタ検出温度の何れかが１００℃以上の場合は、発熱ランプ５を点灯させずに加熱ロール６表面温度を低下させ、サーミスタ検出温度が全て１００℃以下となってから発熱ランプ５の点灯を開始する制御を行う。
以上の制御により、基準となるサーミスタ出力値のパワーオン毎のバラツキを低減させ、印刷時の加熱ロール表面温度を、加熱ロールを損傷することなく定着強度を十分に確保できる温度である例えば１８０℃から１９０℃とすることが可能となり、印刷品質の安定化、定着強度の確保、及び加熱ロールを長寿命とすることができる。
【００１３】
【発明の効果】
本発明によれば、パワーオン時の加熱ロール周辺温度の違いによる加熱ロール表面温度の印刷時のバラツキを例えば１８０℃〜２２０℃から１８０℃〜１９０℃と大幅に軽減することが可能である。その結果、加熱ロールを損傷することなく、定着強度を十分に確保し、印刷品質の安定化を実現できる。
【図面の簡単な説明】
【図１】本発明の定着装置の全体概略構成図。
【図２】本発明の定着装置の加熱ロールと発熱ランプとサーミスタ、サーモライトチップとセンサヘッドの構成を示す説明図。
【図３】基準となるサーミスタ出力値を記憶する場合の立上げ時間と加熱ロール周辺温度の関係を示す説明図。
【図４】基準となるサーミスタ出力値を記憶せず、記憶装置に保存されているサーミスタ出力値を使用する場合の立上げ時間と加熱ロール周辺温度の関係を示す説明図。
【図５】記憶装置にサーミスタ出力値が保存されていない状態で、且つパワーオン時のサーミスタ検出温度がスライスレベル以上である場合の立上げ時間と加熱ロール周辺温度の関係を示す説明図。
【図６】従来の定着装置のー実施例を示す概略図。
【図７】従来の定着装置の加熱ロールと発熱ランプとサーミスタ、サーモライトチップとセンサヘッドの構成を示す説明図。
【図８】パワーオンからサーモライトチップ検出までの加熱ロール周辺温度と発熱ランプのＯＮ／ＯＦＦ制御を示す説明図。
【符号の説明】
１は印刷用紙、２はトナー像、３はヒータ、４は予熱板、５は発熱ランプ、６は加熱ロール、７は支持体、８は加圧ロール、９は用紙送りロール、１０は用紙折り畳み部、１１はサーミスタ、１２はサーモライトチップ、１３はセンサヘッド、１４は制御部、１５は記憶装置。
【図１】
0003883039.tif 000002
【図２】
0003883039.tif 000003
【図３】
0003883039.tif 000004
【図４】
0003883039.tif 000005
【図５】
0003883039.tif 000006
【図６】
0003883039.tif 000007
【図７】
0003883039.tif 000008
【図８】
0003883039.tif 000009